(57)【要約】【課題】インピーダンスが増加することを抑制しつつ、小型化を図る。【解決手段】本開示におけるコネクタは、ケーブル９０の端部に接続されるコネクタ１０であって、ケーブル９０は、撚り合わされた少なくとも２本以上の電線９１の外周を外被覆９２で覆って形成されており、コネクタ１０は、導電性の筒部３２と、アウタハウジング６０と、を備えており、筒部３２の内側には、電線９１が挿通されており、筒部３２は、外面が筒部３２の外面よりも凹状に窪むと共に、内面が筒部３２の内面よりも電線９１に向かって突出する抑制部３５を有しており、アウタハウジング６０は、筒部３２を収容する収容部６２を有しており、収容部６２は、抑制部３５の窪んだ部分に筒部３２の抜け方向と交差する交差方向に嵌合する係止部６６を有している。【選択図】図３
2020155300.tif 000002
【特許請求の範囲】
【請求項１】
ケーブルの端部に接続されるコネクタであって、
前記ケーブルは、撚り合わされた少なくとも２本以上の電線の外周を外被覆で覆って形成されており、
前記コネクタは、導電性の筒部と、アウタハウジングと、を備えており、
前記筒部の内側には、前記外被覆から露出されて撚りが解かれた少なくとも２本以上の前記電線が挿通されており、
前記筒部は、外面が前記筒部の外面よりも凹状に窪むと共に、内面が前記筒部の内面よりも前記電線に向かって突出する抑制部を有しており、
前記アウタハウジングは、前記筒部を収容する収容部を有しており、
前記収容部は、前記筒部が前記収容部に収容された状態では、前記抑制部の窪んだ部分に前記筒部の抜け方向と交差する交差方向に嵌合する係止部を有しているコネクタ。
【請求項２】
インナハウジングをさらに備え、
前記インナハウジングには、撚りが解かれた前記電線の端部が収容されており、
前記インナハウジングは、前記筒部内に収容可能とされており、
前記抑制部は、前記インナハウジングと前記外被覆との間に突出して配置されている請求項１に記載のコネクタ。
【請求項３】
前記電線は、前記インナハウジングから後方に導出されており、
前記抑制部は、前記インナハウジングが前記筒部内に収容された状態では、前記インナハウジングにおける前記電線が導出された側の端部と前記電線の導出方向に係止可能とされている請求項２に記載のコネクタ。
【請求項４】
前記係止部における前記抑制部の窪んだ部分と嵌合した部分は、前記筒部の抜け方向の長さ寸法が前記交差方向の長さ寸法よりも大きく設定されている請求項１から請求項３のいずれか一項に記載のコネクタ。
【発明の詳細な説明】
【技術分野】
【０００１】
本開示は、コネクタに関する。
【背景技術】
【０００２】
例えば、ツイストペアケーブルの端部に接続される高速通信用のコネクタとして、特開２０１７−２０４３３５号公報（下記特許文献１）に記載のものが知られている。ツイストペアケーブルは、撚り合わされた２本の信号線の外周を外側部材で包囲して形成されている。一方、コネクタは、外側部材から露出されて撚りが解かれた２本の信号線が挿通される筒状のシェルと、シェルを収容する外部ハウジングとを備えている。
【０００３】
ツイストペアケーブルの信号線は、外側部材から露出されて撚りが解かれると、露出した部分においてインピーダンスが増加する傾向にある。そのため、上記のシェルは、インピーダンスの増加を抑制することを目的に、シェルの後部が前部に比べて小径に形成されている。また、シェルの後部の内側には、信号線に近接して配されるインピーダンス調整部が形成されている。
【０００４】
ところで、この種のコネクタは、外方に突出する被係止部がシェルに相当する外導体に形成されている。被係止部は、外導体がハウジング内に収容されると、ハウジング内に設けられた端子係止部と前後方向に係止して、外導体をハウジング内に抜け止めする。このような技術としては、特開２０１８−１４７８１６号公報が知られている。
【先行技術文献】
【特許文献】
【０００５】
【特許文献１】特開２０１７−２０４３３５号公報
【特許文献２】特開２０１８−１４７８１６号公報
【発明の概要】
【発明が解決しようとする課題】
【０００６】
ところで、上記のように、後部が小径に形成されたシェルは、前後が同径に形成されたシェルに比べて加工が難しい。また、シェルがハウジング内に収容された際に、がたつきが生じ易くなってしまう。
また、近年、コネクタの小型化が求められている。したがって、上記のように被係止部が外方に突出していると、外導体、ひいてはコネクタを小型化することが難しくなってしまう。
【０００７】
本明細書では、インピーダンスが増加することを抑制しつつ、小型化を図る技術を開示する。
【課題を解決するための手段】
【０００８】
本開示のコネクタは、ケーブルの端部に接続されるコネクタであって、前記ケーブルは、撚り合わされた少なくとも２本以上の電線の外周を外被覆で覆って形成されており、前記コネクタは、導電性の筒部と、アウタハウジングと、を備えており、前記筒部の内側には、前記外被覆から露出されて撚りが解かれた少なくとも２本以上の前記電線が挿通されており、前記筒部は、外面が前記筒部の外面よりも凹状に窪むと共に、内面が前記筒部の内面よりも前記電線に向かって突出する抑制部を有しており、前記アウタハウジングは、前記筒部を収容する収容部を有しており、前記収容部は、前記筒部が前記収容部に収容された状態では、前記抑制部の窪んだ部分に前記筒部の抜け方向と交差する交差方向に嵌合する係止部を有している構成とした。
【発明の効果】
【０００９】
本開示によれば、インピーダンスが増加することを抑制しつつ、小型化を図ることができる。
【図面の簡単な説明】
【００１０】
【図１】図１は、実施形態にかかるコネクタの側面図である。
【図２】図２は、コネクタの正面図である。
【図３】図３は、図２のＩＩＩ−ＩＩＩ線断面図である。
【図４】図４は、図１のＩＶ−ＩＶ線断面図である。
【図５】図５は、アウタハウジングに外導体を収容する前の状態を示す側面図である。
【図６】図６は、アウタハウジングに外導体を収容する前の状態を示す図３の断面に相当する断面図である。
【図７】図７は、アッパ導体の斜視図である。
【図８】図８は、アッパ導体の平面図である。
【図９】図９は、アッパ導体の正面図である。
【発明を実施するための形態】
【００１１】
［本開示の実施形態の説明］
最初に本開示の実施形態を列挙して説明する。
（１）ケーブルの端部に接続されるコネクタであって、前記ケーブルは、撚り合わされた少なくとも２本以上の電線の外周を外被覆で覆って形成されており、前記コネクタは、導電性の筒部と、アウタハウジングと、を備えており、前記筒部の内側には、前記外被覆から露出されて撚りが解かれた少なくとも２本以上の前記電線が挿通されており、前記筒部は、外面が前記筒部の外面よりも凹状に窪むと共に、内面が前記筒部の内面よりも前記電線に向かって突出する抑制部を有しており、前記アウタハウジングは、前記筒部を収容する収容部を有しており、前記収容部は、前記筒部が前記収容部に収容された状態では、前記抑制部の窪んだ部分に前記筒部の抜け方向と交差する交差方向に嵌合する係止部を有している。
【００１２】
一般に、通信用の信号が送信される電線において、外被覆から露出して撚りが解かれた部分は、インピーダンスが増加する傾向にある。ところが、このようなコネクタによると、外被覆から露出して撚りが解かれた電線と抑制部との距離が近くなる。つまり、抑制部が電線に近接して配置されることにより、外被覆から露出されて撚りが解かれた部分のインピーダンスが増加することを抑制できる。
【００１３】
さらに、抑制部と係止部とが嵌合することにより、係止部と筒部とが、筒部の抜け方向に係止して筒部の抜止が図られる。これにより、例えば、係止部と係止可能な被係止部を筒部から外方へ突出して形成する場合に比べて、筒部、ひいてはコネクタの小型化を図ることができる。
【００１４】
また、インピーダンスの増加を抑制する抑制部を係止部と係止する被係止部として兼用しているから、例えば、抑制部と被係止部とを個別に設ける場合に比べて、筒部、ひいてはコネクタの小型化を図ることができる。ここで、係止とは、係わり合わせて止めることであって、筒部が、係止部に対して筒部の抜け方向に接触して筒部を止めることを示している。
【００１５】
（２）インナハウジングをさらに備え、前記インナハウジングには、撚りが解かれた前記電線の端部が収容されており、前記インナハウジングは、前記筒部内に収容可能とされており、前記抑制部は、前記インナハウジングと前記外被覆との間に突出して配置されている。
【００１６】
抑制部がインナハウジングと外被覆との間に配置されるから、例えば、抑制部がインナハウジングの外側に配置される場合に比べて、筒部を小径にできる。これにより、筒部、ひいてはコネクタをさらに小型化できる。
【００１７】
（３）前記電線は、前記インナハウジングから後方に導出されており、前記抑制部は、前記インナハウジングが前記筒部内に収容された状態では、前記インナハウジングにおける前記電線が導出された側の端部と前記電線の導出方向に係止可能とされている。
インピーダンスの増加を抑制すると共に、係止部と係止可能な抑制部を、インナハウジングを抜け止めする抜止部として兼用できる。これにより、抑制部と抜止部とを個別に設ける場合に比べて、筒部に対するインナハウジングの抜止構造を小型化できる。これにより、コネクタをさらに小型化できる。
【００１８】
（４）前記係止部における前記抑制部の窪んだ部分と嵌合した部分は、前記筒部の抜け方向の長さ寸法が前記交差方向の長さ寸法よりも大きく設定されている。
一般に、係止部における抑制部の係止力を大きくするためには、抑制部と係止部とが係止する面積を大きくする方法が考えられる。しかしながら、コネクタを低背化するには、抑制部と係止部との係止代を上下方向に大きく確保できなくなってしまう。ところが、係止部は、抑制部の窪んだ部分に対する嵌合した部分の筒部の抜け方向の長さ寸法が交差方向の長さ寸法がよりも大きくなっているから、抑制部による係止部のせん断領域を大きくすることができる。
【００１９】
［本開示の実施形態の詳細］
本開示のコネクタの具体例を、以下の図面を参照しつつ説明する。なお、本開示は、これらの例示に限定されるものではなく、特許請求の範囲によって示され、特許請求の範囲と均等の意味および範囲内でのすべての変更が含まれることが意図される。
【００２０】
＜実施形態＞
本開示における一実施形態について図１から図９を参照して説明する。
本実施形態は、車両に搭載される高速通信用のコネクタ１０であって、図１に示すように、ケーブル９０の前端部に接続されるコネクタ１０を例示している。
【００２１】
［ケーブル９０］
ケーブル９０は、図１および図３に示されるように、前後方向に延びた形態をなしている。ケーブル９０は、複数の電線９１が絶縁性の外被覆９２によって外周を覆われて形成されている。本実施形態のケーブル９０は、４本の電線９１が外被覆９２によって一括して覆われて形成されている。それぞれの電線９１は、導電性の芯線が絶縁性の絶縁被覆によって覆われて形成されている。
【００２２】
図４に示されるように、４本の電線９１のうちの２本の電線９１は電源用の電源線９３とされている。４本の電線９１のうちの、他の２本は通信用の差動信号が送信される信号線９４とされている。２本の信号線９４は、外被覆９２に覆われた状態では、互いに撚り合わされている。
ケーブル９０の端末では、図３に示されるように、外被覆９２が皮剥ぎされて４本の電線９１が露出している。露出した２本の信号線９４は、撚りが解かれて互いに離れた状態となっている。
【００２３】
［コネクタ１０］
コネクタ１０は、図１から図４に示されるように、４つの内導体１１と、４つの内導体１１を収容するインナハウジング２０と、インナハウジング２０を収容する外導体３０と、外導体３０を収容するアウタハウジング６０と、を備えている。
【００２４】
［内導体１１］
内導体１１は、導電性を有する金属板材をプレスなど加工することによって雌型の端子として形成されている。それぞれの内導体１１は、図３に示されるように、外被覆９２から露出した電線９１の端末にそれぞれ接続されている。
【００２５】
［インナハウジング２０］
インナハウジング２０は、図２に示されるように、絶縁性の合成樹脂製によって正面視矩形の角筒状に形成されている。インナハウジング２０の前端には、フロントリテーナ２１が装着されている。なお、図３，図５および図６においては、フロントリテーナ２１を図示省略している。
インナハウジング２０は、複数のキャビティ２２を有している。複数のキャビティ２２は、上下左右に２段２列に整列して形成されている。
【００２６】
それぞれのキャビティ２２には、図３に示されるように、内導体１１および内導体１１に接続された電線９１の端部が収容されている。上段の２つのキャビティ２２は、信号線９４に接続された内導体１１がそれぞれ収容されるキャビティ２２とされている。下段の２つのキャビティ２２は、電源線９３に接続された内導体１１がそれぞれ収容されるキャビティ２２とされている。
【００２７】
インナハウジング２０は、２つの分割体２３を上下方向に組み付けることによって構成されている。各内導体１１は、インナハウジング２０が構成されると、図３に示されるように、キャビティ２２内に形成された内導体係止部２５と前後方向に係止することによってキャビティ２２内に抜け止めされる。
【００２８】
インナハウジング２０の後部から後方に導出される４本の電線９１は、インナハウジング２０および外被覆９２から露出した露出部９６とされている。２本の信号線９４の露出部９６は、撚りが解かれた状態となっている。
【００２９】
［外導体３０］
外導体３０は、導電性を有する金属板材をプレスなどによって加工して形成されている。外導体３０は、図３から図６に示されるように、インナハウジング２０を収容する筒部３２と、外被覆９２に圧着される圧着部３４と、筒部３２と圧着部３４との間をつなぐ繋ぎ部３７とを備えている。また、外導体３０は、アッパ導体３８と、ロア導体３９とを上下方向に組み付けることによって形成されている。
【００３０】
筒部３２は、アッパ導体３８と、ロア導体３９とを上下方向に組み付けることによって前後方向に同径の角筒状に形成されている。筒部３２の前部には、図３および図６に示されるように、インナハウジング２０が収容されるようになっている。筒部３２の後部には、インナハウジング２０から後方に延びる４本の電線９１の露出部９６が前後方向に挿通された状態で収容されている。筒部３２内における４本の電線９１の露出部９６は、それぞれのキャビティ２２から引き出された状態のまま後方に延びている。２本の信号線９４の露出部９６は、筒部３２内において２本の電源線９３の露出部９６よりも上側に配置されている。
【００３１】
筒部３２の後部における上面３２Ａには、図３に示されるように、平面視矩形状の抑制部３５が形成されている。抑制部３５は、図７から図９に示されるように、上面３５Ｕが筒部３２の上面３２Ａよりも凹状に窪むと共に、下面３５Ｄが筒部３２の上側内面３２Ｂよりも下方に突出した形態とされている。抑制部３５は、前縁および後縁が筒部３２の上板３２Ｕと前後方向に分断される共に、左右方向の両側縁３５Ｗが筒部３２の上板３２Ｕに連なることによって、筒部３２内に突出する部分が平板の両持ち状に形成されている。
【００３２】
筒部３２の上板３２Ｕにおける抑制部３５との境界部分は、上下方向に切り立った切断面３６となっている。また、筒部３２の上板３２Ｕと分断された抑制部３５の前端面および後端面は、筒部３２の上板３２Ｕよりも筒部３２の内側に突出すると共に上下方向に切り立った切断面３５Ａとなっている。
【００３３】
抑制部３５の左右方向の長さ寸法は、図４に示されるように、筒部３２内に挿通された２本の信号線９４の露出部９６における左右方向の長さ寸法よりも大きく形成されている。
抑制部３５は、図３に示されるように、筒部３２内にインナハウジング２０が収容された状態では、インナハウジング２０と外被覆９２との間に位置している。
【００３４】
つまり、筒部３２内にインナハウジング２０が収容されると、抑制部３５は、２本の信号線９４の露出部９６の上部を覆うように露出部９６に近接して配置される。また、抑制部３５の前端面に形成された切断面３５Ａがインナハウジング２０の後端部と前後方向に係止することによりインナハウジング２０の後方への抜け止めが図られる。
【００３５】
圧着部３４は、ロア導体３９の後端部に形成されている。圧着部３４は、外被覆９２の外周を包囲して圧着される。
【００３６】
繋ぎ部３７は、左右方向両側の側縁部が筒部３２の上縁および下縁から上下方向中央に向かって絞られるように形成されている。繋ぎ部３７は、繋ぎ部３７の下端部（ロア導体３９における繋ぎ部３７）が圧着部３４の下端縁と連なった形態とされている。したがって、繋ぎ部３７は、圧着部３４が圧着された外被覆９２と筒部３２との間を前後方向に延びる４本の電線９１の外周を覆っている。
【００３７】
［アウタハウジング６０］
アウタハウジング６０は、絶縁性の合成樹脂製によって形成されている。アウタハウジング６０は、図３および図６に示されるように、外導体３０を収容可能な収容部６２を有している。収容部６２は、前後方向に矩形状に開口して形成されている。収容部６２の開口の外形は、外導体３０の外形と実質的に同一とされており、収容部６２内に外導体３０が適合して収容されるようになっている。
【００３８】
収容部６２の前後方向中央部における上壁６２Ａには、係止片６４が形成されている。係止片６４は、後端部を起点に前方に向かって片持ち状に延びる係止片本体６５と、係止片本体６５の下端部に下方に突出して形成された係止部６６とを有している。
係止片本体６５は、図４に示されるように、後端部が収容部６２の左右方向両側の側壁６２Ｗと連なっている。係止片本体６５は、側壁６２Ｗに連なった後端部を支点に上下方向に弾性変位可能とされている。
【００３９】
係止部６６は、図３および図６に示されるように、斜め前下方に臨む係止面６７を前端部に有しており、係止部６６の前後方向の長さ寸法は下方に突出する突出寸法よりも大きく形成されている。係止部６６は、収容部６２内に外導体３０が収容されると、外導体３０の抑制部３５における凹状に窪んだ部分に上方から嵌合する。
【００４０】
係止部６６は、抑制部３５と嵌合すると、図３および図６に示されるように、抑制部３５の窪んだ部分に対する嵌合した部分の前後方向の長さ寸法が上下方向の長さ寸法がよりも大きくなっている。そして、係止部６６と抑制部３５とが嵌合した状態では、筒部３２の上板３２Ｕと抑制部３５との境界部分に形成された筒部３２の前側の切断面３６Ｆと係止部６６の係止面６７とが前後方向に係止可能となる。これにより、収容部６２内に収容された外導体３０の後方への抜止が図られる。
【００４１】
本実施形態は、以上のような構成であって、続いて、コネクタ１０の作用および効果について説明する。
近年、車両に配索されるケーブルの端部に接続されるコネクタは、低背化や小型化が求められている。また、例えば、ケーブルが撚り合わされた２本の信号線を外被覆で覆ったケーブルの場合、外被覆が皮剥ぎされる共に、撚りが解かれた２本の信号線が配索される部分は、インピーダンスが増加する傾向にある。
【００４２】
信号線のインピーダンスの増加を抑制するには、コネクタにおいて撚りが解かれた信号線を覆う外導体を小径にしたり、外導体の内部に信号線に近接して配される調整部を形成したりする方法が考えられる。
しかしながら、外導体の内部に調整部を形成する場合、外導体の加工が複雑になってしまう。また、外導体に小径な部分を形成すると、外導体を収容するハウジング内において外導体ががたつき易くなってしまう。
【００４３】
そこで、本発明者らは、上記の課題を解決するため、鋭意検討を行った結果、本実施形態の構成を見出した。
【００４４】
すなわち、本実施形態は、ケーブル９０の端部に接続されるコネクタ１０であって、ケーブル９０は、撚り合わされた少なくとも２本以上の信号線（電線）９４の外周を外被覆９２で覆って形成されており、コネクタ１０は、導電性の筒部３２と、アウタハウジング６０と、を備えている。筒部３２の内側には、外被覆９２から露出されて撚りが解かれた少なくとも２本以上の信号線９４が挿通されている。筒部３２は、上面（外面）３５Ｕが筒部３２の上面（外面）３２Ａよりも凹状に窪むと共に、下面（内面）３５Ｄが筒部３２の上側内面３２Ｂよりも信号線９４に向かって突出する抑制部３５を有している。アウタハウジング６０は、筒部３２を収容する収容部６２を有しており、収容部６２は、筒部３２が収容部６２に収容された状態では、抑制部３５の窪んだ部分に上下方向（筒部３２の抜け方向と交差する交差方向）に嵌合する係止部６６を有している。
【００４５】
信号線９４において外被覆９２から露出されて撚りが解かれた部分（露出部９６）は、インピーダンスが増加する傾向にある。しかしながら、本実施形態によると、図３および図４に示されるように、露出部９６と抑制部３５との距離が近くなる。つまり、抑制部３５が露出部９６に近接して配置されることにより、露出部９６においてインピーダンスが増加することを抑制できる。
【００４６】
また、筒部３２は、上面３５Ｕが凹状に窪んだ抑制部３５を形成することによってインピーダンスが増加することを抑制する。つまり、例えば、筒部を小径に形成したり、筒部内に調整部を形成したりする必要がない。これにより、筒部３２が収容部６２内においてがたつくことを抑制することができる共に、筒部３２の構造が複雑になることを抑制できる。
【００４７】
さらに、図３および図６に示されるように、抑制部３５における窪んだ部分と係止部６６とが上下方向に嵌合することにより、係止部６６が筒部３２と抜け方向に係止して筒部３２の後方への抜け止めが図られる。これにより、例えば、係止部と係止可能な被係止部を筒部の上面から上方に突出して形成する場合に比べて、筒部３２、ひいてはコネクタ１０の小型化を図ることができる。また、インピーダンスの増加を抑制する抑制部３５は、係止部６６と係止する被係止部として兼用されている。これにより、例えば、抑制部と被係止部とを個別に設ける場合に比べて、筒部３２、ひいてはコネクタ１０の小型化を図ることができる。
【００４８】
インナハウジング２０をさらに備え、インナハウジング２０には、撚りが解かれた信号線（電線）９４の端部が収容されており、インナハウジング２０は、筒部３２内に収容可能とされており、抑制部３５は、インナハウジング２０と外被覆９２との間に突出して配置されている。
【００４９】
抑制部３５が、インナハウジング２０と外被覆９２との間に配置されるから、例えば、抑制部がインナハウジングの外側に配置される場合に比べて、筒部３２を小径にできる。これにより、筒部３２、ひいてはコネクタ１０をさらに小型化できる。
【００５０】
電線９１は、インナハウジング２０から後方に導出されており、抑制部３５は、図３および図６に示されるように、インナハウジング２０が筒部３２内に収容された状態では、インナハウジング２０における後端部（電線９１が導出された側の端部）と前後方向（電線９１の導出方向）に係止可能とされている。
インピーダンスの増加を抑制すると共に、係止部６６と係止可能な抑制部３５を、インナハウジング２０の方向へ抜け止めする抜止部として兼用できる。これにより、例えば、抑制部と抜止部とを個別に設ける場合に比べて、筒部３２におけるインナハウジング２０の抜止構造を小型化できる。これにより、コネクタ１０をさらに小型化できる。
【００５１】
係止部６６は、図３に示されるように、抑制部３５の窪んだ部分に対する嵌合した部分の前後方向（筒部３２の抜け方向）の長さ寸法が上下方向（交差方向）の長さ寸法がよりも大きくなっている。
一般に、係止部における抑制部の係止力を大きくするためには、抑制部と係止部とが係止する面積を大きくする方法が考えられる。しかしながら、コネクタを低背化する場合には、抑制部と係止部との係止代を上下方向に大きく確保できなくなってしまう。ところが、係止部６６は、抑制部３５の凹状の部分に対して嵌合した部分の前後方向の長さ寸法が上下方向の長さ寸法がよりも大きくなっている。これにより、抑制部３５による係止部６６のせん断領域を大きくすることができる。すなわち、コネクタ１０の低背化を図りつつ、係止部６６における外導体３０の係止力を高くすることができる。
【００５２】
＜他の実施形態＞
本明細書で開示される技術は上記記述及び図面によって説明した実施形態に限定されるものではなく、例えば次のような種々の態様も含まれる。
（１）上記実施形態では、ケーブル９０は、２本の信号線９４と２本の電源線９３とを有する構成とした。しかしながら、これに限らず、ケーブルは、２本の信号線のみを有する構成にしてもよく、アース線や編組線などを有する構成にしてもよい。
【００５３】
（２）上記実施形態では、外導体３０の筒部３２をアッパ導体３８とロア導体３９とを組み合わせて構成した。しかしながら、これに限らず、アッパ導体またはロア導体のいずれか一方の導体において筒部を構成してもよい。
【００５４】
（３）上記実施形態では、抑制部３５の前縁および後縁は、筒部３２の上板３２Ｕと分断された構成とした。しかしながら、これに限らず、抑制部と係止部とが嵌合して筒部と係止部とが前後方向に係止可能であれば、筒部の上板と抑制部の前縁および後縁とが連なる構成にしてもよい。
【００５５】
（４）上記実施形態では、抑制部３５において筒部３２内に突出する部分を平板状に構成とした。しかしながら、これに限らず、抑制部において筒部内に突出する部分は、丸みを帯びた形状であってもよく、電線の形状に合わせて屈曲させた形状であってもよい。
【００５６】
（５）上記実施形態では、それぞれの電線９１の端末に雌型端子の形状をした内導体１１を接続する構成とした。しかしながら、これに限らず、内導体を雄型の形状に構成してもよい。
【符号の説明】
【００５７】
１０：  コネクタ
１１：  内導体
２０：  インナハウジング
２１：  フロントリテーナ
２２：  キャビティ
２３：  分割体
２５：  内導体係止部
３０：  外導体
３２：  筒部
３２Ａ：  筒部の上面
３２Ｂ：  筒部の上側内面
３２Ｕ：  筒部の上板
３４：  圧着部
３５：  抑制部
３５Ａ：  抑制部の切断面
３５Ｄ：  抑制部の下面
３５Ｕ：  抑制部の上面
３５Ｗ：  抑制部の両側縁
３６：  筒部の切断面
３６Ｆ：  筒部の前側の切断面
３７：  繋ぎ部
３８：  アッパ導体
３９：  ロア導体
６０：  アウタハウジング
６２：  収容部
６２Ａ：  収容部の上壁
６２Ｗ：  収容部の側壁
６４：  係止片
６５：  係止片本体
６６：  係止部
６７：  係止面
９０：  ケーブル
９１：  電線
９２：  外被覆
９３：  電源線
９４：  信号線
９６：  露出部
【図１】
2020155300.tif 000003
【図２】
2020155300.tif 000004
【図３】
2020155300.tif 000005
【図４】
2020155300.tif 000006
【図５】
2020155300.tif 000007
【図６】
2020155300.tif 000008
【図７】
2020155300.tif 000009
【図８】
2020155300.tif 000010
【図９】
2020155300.tif 000011